(57)【特許請求の範囲】
【請求項１】
浴室を構成する浴室ユニットにおいて天井を構成する部材であり、点検口が設けられた天井パネルと、
前記点検口を閉じる蓋、および、前記浴室に音情報が出力されるように前記蓋に設けられる振動子を含む蓋ユニットと、
前記蓋ユニットを支持できるように前記天井パネルに設けられた支持体と、
前記天井パネルを補強するために前記天井パネルの上面に設置される部材であり、前記天井パネルのうちの前記点検口およびその周囲の部分である弾性部を覆わないように貫通孔が形成されている補強部材と、を備え、
前記弾性部は、前記補強部材に覆われていないことにより前記天井パネルのうちの前記補強部材に覆われた部分である被覆部に対して撓むことが可能な部分であり、
前記蓋ユニットは、前記弾性部の撓み変形にともない前記天井パネルに対して上下方向に変位できるように前記支持体により支持されている
浴室天井ユニット。
【請求項２】
前記支持体は前記点検口を取り囲むように設けられる
請求項１に記載の浴室天井ユニット。
【請求項３】
前記支持体は前記弾性部と一体に形成されている
請求項１または２に記載の浴室天井ユニット。
【請求項４】
前記蓋は前記蓋の外周部から前記補強部材側に突出したフランジ部を含み、
前記支持体は、前記弾性部における前記点検口の縁から前記蓋ユニット側に立ち上がるように設けられ、前記フランジ部の底面を支持する
請求項１〜３のいずれか一項に記載の浴室天井ユニット。
【請求項５】
前記支持体の根本から前記補強部材のうちの前記貫通孔を形成する内周面までの距離は、前記フランジ部の根本から前記フランジ部の先端までの距離よりも長い
請求項４に記載の浴室天井ユニット。
【請求項６】
弾性変形可能な部材であり、前記蓋ユニットの底面と前記弾性部との間に設けられ、前記弾性部に支持される弾性支持体をさらに備える
請求項１〜５のいずれか一項に記載の浴室天井ユニット。
【請求項７】
前記蓋ユニットは、前記フランジ部の底面から前記弾性部に向けて突出し、前記弾性支持体が弾性変形した状態で前記弾性部に支持される突出部をさらに含む
請求項４または５を引用する請求項６に記載の浴室天井ユニット。
【請求項８】
前記弾性支持体は、前記突出部よりも前記フランジ部の根本側に配置されるように前記フランジ部の底面に設けられる
請求項７に記載の浴室天井ユニット。
【請求項９】
前記点検口の形状は円形または楕円形であり、
前記支持体は前記点検口の縁に設けられる
請求項１〜８のいずれか一項に記載の浴室天井ユニット。
【請求項１０】
前記蓋ユニットの形状は円形または楕円形である
請求項１〜９のいずれか一項に記載の浴室天井ユニット。
【請求項１１】
前記蓋ユニットの形状は楕円形であり、
前記蓋ユニットの平面視において前記蓋ユニットの中心部に前記振動子が設けられている
請求項１０に記載の浴室天井ユニット。
【請求項１２】
前記天井パネルの平面視において前記点検口の中心と前記天井の中心とが一致しないように前記点検口が前記天井パネルに設けられている
請求項１〜１１のいずれか一項に記載の浴室天井ユニット。
【請求項１３】
請求項１〜１２のいずれか一項に記載の浴室天井ユニットと、
前記天井パネルとともに前記浴室を形成する床パネルおよび側壁パネルと、
前記浴室に配置された浴槽と、を備える
浴室ユニット。
【請求項１４】
前記床パネルの表面は前記天井パネルにおける前記浴室側の面に対して傾斜している
請求項１３に記載の浴室ユニット。
【請求項１５】
前記床パネルの表面は、前記浴槽から離れた前記側壁パネルから前記浴槽に向かって低くなるように傾斜している
請求項１３または１４に記載の浴室ユニット。
【請求項１６】
前記床パネルの表面は排水性を高める凹凸が形成されている
請求項１３〜１５のいずれか一項に記載の浴室ユニット。
【発明の詳細な説明】
【技術分野】
【０００１】
本発明は、音情報を出力可能な浴室天井ユニットおよびこれを備える浴室ユニットに関する。
【背景技術】
【０００２】
浴室内に音楽等の音情報を出力する機能を備えた音響装置が知られている。その一例である特許文献１の音響装置は、浴室天井を構成する鋼板、鋼板の上面に配置される補強材、および、浴室天井に設けられる点検口を閉じる点検口蓋を含む。この音響装置はさらに、点検口に対応する補強材の内周面を覆うように鋼板に設けられる起立片、および、点検口蓋を振動させる振動用アクチュエータを含む。補強材および起立片は点検口蓋を支持する。
【０００３】
振動用アクチュエータはラジオまたはテレビ等の外部機器から入力された音情報に関する信号に基づいて振動する。振動用アクチュエータの振動により点検口蓋が振動し、点検口蓋から浴室内に音情報が出力される。
【先行技術文献】
【特許文献】
【０００４】
【特許文献１】特開２００６−１３３６３９号公報
【発明の概要】
【発明が解決しようとする課題】
【０００５】
点検口蓋に伝達される振動が強い場合、点検口蓋が振動することにより点検口蓋と浴室天井との間に隙間が形成され、点検口蓋と補強材および起立片の少なくとも一方との接触によりビビリ音等のノイズが発生し、浴室内に出力される音情報の音質が低下するおそれがある。
【０００６】
本発明の目的は、音情報を出力する機能を備え、出力する音情報の音質が低下しにくい浴室天井ユニットおよびこれを備える浴室ユニットを提供することである。
【課題を解決するための手段】
【０００７】
本発明に関する浴室天井ユニットの一形態は、浴室を構成する浴室ユニットにおいて天井を構成する部材であり、点検口が設けられた天井パネルと、前記点検口を閉じる蓋、および、前記浴室に音情報が出力されるように前記蓋に設けられる振動子を含む蓋ユニットと、前記蓋ユニットを支持できるように前記天井パネルに設けられた支持体と、前記天井パネルを補強するために前記天井パネルの上面に設置される部材であり、前記天井パネルのうちの前記点検口およびその周囲の部分である弾性部を覆わないように貫通孔が形成されている補強部材と、を備え、前記弾性部は、前記補強部材に覆われていないことにより前記天井パネルのうちの前記補強部材に覆われた部分である被覆部に対して撓むことが可能な部分であり、前記蓋ユニットは、前記弾性部の撓み変形にともない前記天井パネルに対して上下方向に変位できるように前記支持体により支持されている。
【０００８】
本発明に関する浴室ユニットの一形態は、前記浴室天井ユニットと、前記天井パネルとともに前記浴室を形成する床パネルおよび側壁パネルと、前記浴室に配置された浴槽と、を備える。
【発明の効果】
【０００９】
上記浴室天井ユニットおよび浴室ユニットは、音情報を出力する機能を備え、出力する音情報の音質が低下しにくい。
【図面の簡単な説明】
【００１０】
【図１】実施の形態１の浴室ユニットの透視図である。
【図２】図１の浴室天井ユニットの分解斜視図である。
【図３】図２の浴室天井ユニットの平面図である。
【図４】図３のＺ４−Ｚ４線に沿う断面図である。
【図５】図４のＡ部の拡大図である。
【図６】図５の蓋ユニットが第１の天井パネルに対して下方に変位した状態を示す断面図である。
【図７】図５の蓋ユニットが第１の天井パネルに対して上方に変位した状態を示す断面図である。
【図８】実施の形態２の浴室天井ユニットの分解斜視図である。
【図９】実施の形態３の蓋ユニットの底面を示す斜視図である。
【図１０】図９のＢ部の拡大図である。
【図１１】実施の形態３の浴室天井ユニットにおいて、蓋ユニットと第１の天井パネルとが分離した状態を示す断面図である。
【図１２】図１１の蓋ユニットが第１の天井パネルに設置された状態を示す断面図である。
【図１３】図１２の蓋ユニットが第１の天井パネルに対して下方に変位した状態を示す断面図である。
【図１４】図１２の蓋ユニットが第１の天井パネルに対して上方に変位した状態を示す断面図である。
【発明を実施するための形態】
【００１１】
（実施の形態１）
図１に示されるとおり、浴室ユニット１０は、床パネル１１、側壁パネル１２、浴室天井ユニット２０、および、浴槽１３を含む。浴室天井ユニット２０は、浴室ユニット１０の天井３０を構成する部材である第１の天井パネル４０および第２の天井パネル５０を含む。浴室ユニット１０は浴室１４を構成する。浴室１４は床パネル１１、側壁パネル１２、第１の天井パネル４０、および、第２の天井パネル５０により囲まれた空間である。浴槽１３は浴室１４に配置される。
【００１２】
床パネル１１は排水口１１Ａを含む。排水口１１Ａは浴槽１３の隣に設けられる。床パネル１１の表面は天井パネル４０、５０における浴室１４側の面に対して傾斜している。図示される例では、床パネル１１の表面は浴槽１３から離れた側壁パネル１２から浴槽１３に向かって低くなるように傾斜している。床パネル１１の表面には排水性を高める凹凸１１Ｂが形成されている。
【００１３】
天井パネル４０、５０は金属材料により構成されている。天井パネル４０、５０の表面は樹脂によりコーティングされている。第１の天井パネル４０は点検口４３を含む。点検口４３の形状は第１の天井パネル４０の平面視において楕円形である（図３参照）。点検口４３は第１の天井パネル４０を貫通する。このため、浴室１４と第１の天井パネル４０の裏側とが点検口４３により繋がる。点検口４３の大きさは例えば作業者が通過可能な大きさである。第１の天井パネル４０の平面視において点検口４３の中心と天井３０の中心とが一致しないように点検口４３が第１の天井パネル４０に設けられている。
【００１４】
図２は第２の天井パネル５０を除く浴室天井ユニット２０の分解斜視図である。浴室天井ユニット２０は天井パネル４０、５０の他に蓋ユニット６０をさらに含む。蓋ユニット６０は点検口４３を閉じる機能、および、音情報を浴室１４（図１参照）内に出力する機能を備える。蓋ユニット６０の形状は楕円形である（図３参照）。蓋ユニット６０は、蓋６１、振動子６６、および、制御装置７０を含む。振動子６６の機能は浴室１４に音情報が出力されるように蓋６１を振動させることである。振動子６６および蓋６１はスピーカーを構成する。
【００１５】
蓋６１はフランジ部６１Ａを含み、上蓋６２および下蓋６３により構成される。フランジ部６１Ａは蓋６１の径方向の外方に向けて蓋６１の外周部から突出している。上蓋６２はフランジ片６２Ａおよび複数の溝６２Ｂを含む。複数の溝６２Ｂは蓋６１の強度を高めるために上蓋６２に設けられる。下蓋６３はフランジ片６３Ａを含む。上蓋６２のフランジ片６２Ａと下蓋６３のフランジ片６３Ａとが複数のボルト６５により連結されることによって蓋６１が構成される（図４参照）。各フランジ片６２Ａ、６３Ａは蓋６１のフランジ部６１Ａを構成する。蓋６１は上蓋６２および下蓋６３に囲まれた収容空間６４をさらに含む。振動子６６および制御装置７０は収容空間６４に収容されるように下蓋６３の上面に配置される。一例では、蓋ユニット６０の平面視において蓋ユニット６０の中心部に振動子６６が設けられている。
【００１６】
フランジ部６１Ａは蓋ユニット６０の外周部分を構成する。蓋ユニット６０の外周部分は浴室ユニット１０（図１参照）の上下方向において第１の天井パネル４０と重なり、第１の天井パネル４０に支持される。蓋ユニット６０は第１の天井パネル４０に支持されることにより点検口４３を閉じる。
【００１７】
図４は蓋ユニット６０が点検口４３を閉じた状態の断面構造を示す。蓋ユニット６０は第１の弾性部材６７および第２の弾性部材６８をさらに含む。第１の弾性部材６７の機能は蓋ユニット６０から出力される音情報が天井３０（図１参照）の裏側に漏れることを抑制することである。第１の弾性部材６７は上蓋６２と振動子６６とに間に配置され、上蓋６２と振動子６６とにより挟まれる。第２の弾性部材６８の機能は蓋ユニット６０の振動が第１の天井パネル４０に伝達されることを抑制することである。第２の弾性部材６８はフランジ部６１Ａの底面６１Ｃ（図５参照）に取り付けられる。
【００１８】
浴室天井ユニット２０は補強部材８０をさらに備える。補強部材８０は例えば石膏ボードである。補強部材８０の機能は第１の天井パネル４０を補強することである。補強部材８０は第１の天井パネル４０の裏側の面である第１の天井パネル４０の上面に設置される。第２の天井パネル５０の上面の全体に、補強部材８０または補強部材８０と実質的に同じ構成を有する別の補強部材（図示略）が設置される。
【００１９】
図５は第１の天井パネル４０による蓋ユニット６０の支持構造を示す。第１の天井パネル４０はパネル体４１および支持体４２を含む。パネル体４１および支持体４２は同じ材料により構成される。支持体４２はパネル体４１と一体に形成されている。一例では、１枚の金属材料の端部が曲げ加工されることにより支持体４２が形成される。
【００２０】
パネル体４１は第１の天井パネル４０における浴室１４（図１参照）側の面を構成する部分である。補強部材８０はパネル体４１の上面に取り付けられる。パネル体４１は被覆部４１Ａおよび弾性部４１Ｂを含む。被覆部４１Ａおよび弾性部４１Ｂは連続している。被覆部４１Ａはパネル体４１のうちの補強部材８０に覆われた部分である。弾性部４１Ｂはパネル体４１のうちの点検口４３およびその周囲の部分であり、補強部材８０に覆われていないことにより被覆部４１Ａに対して撓むことが可能な部分である。補強部材８０は弾性部４１Ｂを覆わないように貫通孔８０Ａが形成されている。蓋ユニット６０は、弾性部４１Ｂの撓み変形にともない第１の天井パネル４０に対して上下方向に変位できるように支持体４２により支持されている。弾性部４１Ｂの撓み変形は弾性変形である。
【００２１】
支持体４２の機能は、第１の天井パネル４０に対する蓋ユニット６０の変位が可能な状態で蓋ユニット６０を支持することである。支持体４２は点検口４３を取り囲むように点検口４３の縁４３Ａに設けられる。第１の天井パネル４０の平面視における支持体４２の形状は、蓋ユニット６０の形状および点検口４３の形状と相似する楕円形である（図３参照）。支持体４２は弾性部４１Ｂにおける点検口４３の縁４３Ａから蓋ユニット６０側に立ち上がるように設けられ、第２の弾性部材６８を介してフランジ部６１Ａの底面６１Ｃを支持する。支持体４２は折曲部４２Ａを含む。折曲部４２Ａは支持体４２が湾曲するように折り曲げられた部分である。支持体４２は例えば折曲部４２Ａが上方を向くように折り曲げられることにより構成される。折曲部４２Ａは第２の弾性部材６８を介してフランジ部６１Ａの底面６１Ｃを支持する。
【００２２】
第２の弾性部材６８が支持体４２に支持されることにより第２の弾性部材６８と支持体４２とが密着し、浴室１４内の湿気等の水分が第１の天井パネル４０の裏側に侵入することが妨げられる。第２の弾性部材６８はパッキンとしての機能も兼ねる。
【００２３】
蓋ユニット６０の平面方向において、支持体４２と下蓋６３の外周面６３Ｂとが第１の空間Ｓ１を隔てて対向する。蓋ユニット６０の平面方向において、補強部材８０のうちの貫通孔８０Ａを形成する内周面８０Ｂと内周面８０Ｂと対向するフランジ部６１Ａの外周面６１Ｂとの間に第２の空間Ｓ２が設けられる。支持体４２の根本から補強部材８０の内周面８０Ｂまでの距離である第１の距離Ｌ１は、フランジ部６１Ａの根本からフランジ部６１Ａの先端までの距離である第２の距離Ｌ２よりも長い。第１の距離Ｌ１は蓋ユニット６０の平面方向における弾性部４１Ｂの長さに相当する。
【００２４】
弾性部４１Ｂの撓み量は蓋ユニット６０に対する支持体４２の追従性に影響する。弾性部４１Ｂの撓み量が所定の撓み範囲に含まれる場合、好ましい追従性が得られる。第１の距離Ｌ１は弾性部４１Ｂの撓み量に影響を及ぼす主要な因子の１つに該当する。一例では、第１の距離Ｌ１が所定の距離範囲内の長さに設定されることにより、弾性部４１Ｂの撓み量が所定の撓み範囲に含まれる。第１の距離Ｌ１はさらに弾性部４１Ｂの剛性に影響を及ぼす主要な因子の１つに該当する。一例では、第１の距離Ｌ１が上記所定の距離範囲内の長さに設定されることにより、弾性部４１Ｂの剛性が所定の剛性範囲に含まれる。所定の剛性範囲は蓋ユニット６０が振動していない状態において蓋ユニット６０の重量が弾性部４１Ｂに作用した場合に弾性部４１Ｂが実質的に浴室１４（図１参照）側に変形しない剛性の範囲である。このように、第１の距離Ｌ１が上記所定の距離範囲内の長さに設定されることにより、好ましい支持体４２の追従性および好ましい弾性部４１Ｂの剛性が確保される。
【００２５】
図２に示される振動子６６は制御装置７０と電気的に接続される。制御装置７０の機能は、コントローラー（図示略）等の外部機器から受信した信号に基づいて振動子６６を振動させることである。外部機器が出力する信号は音に関する情報を含む。コントローラーは有線または無線により制御装置７０と通信可能である。制御装置７０はコントローラーから受信した信号を増幅するアンプ（図示略）を含む。制御装置７０は外部電源（図示略）等から供給された電力により駆動し、コントローラーから受信した信号に基づいて振動子６６を振動させる。
【００２６】
図６および図７を参照して、浴室天井ユニット２０の作用について説明する。
浴室天井ユニット２０のコントローラーはユーザーの操作に応じて信号を出力する。一例では、信号は音に関する情報を含む。制御装置７０（図２参照）はコントローラーから受信した信号に基づいて振動子６６（図２参照）を振動させる。
【００２７】
図６は蓋ユニット６０が第１の天井パネル４０に対して下方に変位した状態を示す。蓋ユニット６０を第１の天井パネル４０に対して下方向に変位させる力が振動子６６から蓋６１に加えられた場合、その力が蓋ユニット６０から支持体４２に伝達される。このため、弾性部４１Ｂが被覆部４１Ａに対して支持体４２が下方に変位するように撓み、蓋ユニット６０が第１の天井パネル４０に対して下方に変位する。このように、蓋ユニット６０が弾性部４１Ｂを撓ませながら下方に変位するため、支持体４２が蓋ユニット６０の変位に追従し、蓋ユニット６０と支持体４２との間に隙間が形成されにくく、蓋ユニット６０から出力される音情報にノイズが含まれにくい。
【００２８】
図７は蓋ユニット６０が第１の天井パネル４０に対して上方に変位した状態を示す。弾性部４１Ｂが下方に弾性変形した後、蓋ユニット６０を第１の天井パネル４０に対して上方向に変位させる力が振動子６６から蓋６１に加えられた場合、弾性部４１Ｂが被覆部４１Ａに対して支持体４２が上方に変位するように弾性力により撓む。そして、蓋ユニット６０が第１の天井パネル４０に対して上方に変位するとともに支持体４２が蓋ユニット６０の変位に追従するように上方に変位する。このため、蓋ユニット６０と支持体４２との間に隙間が形成されにくく、蓋ユニット６０から出力される音情報にノイズが含まれにくい。
【００２９】
蓋ユニット６０が第１の天井パネル４０に対する上下方向への変位を繰り返すことにより、すなわち、蓋ユニット６０が第１の天井パネル４０に対する上下方向への振動を繰り返すことにより、制御装置７０がコントローラーから受信した情報に応じた音情報が出力される。そのときに上述のとおり支持体４２が蓋ユニット６０の変位に追従するため、蓋ユニット６０と第１の天井パネル４０との間に隙間が形成されにくい。このため、蓋ユニット６０と第１の天井パネル４０との接触によるビビリ音等のノイズが発生しにくく、浴室１４内に出力される音情報の音質が低下しにくい。また、第２の弾性部材６８と支持体４２とが密着している状態が維持されやすいことにより、浴室１４内の湿気等の水分が第１の天井パネル４０の裏側に侵入するおそれが低減される。
【００３０】
実施の形態１によればさらに以下の効果が得られる。
（１）支持体４２は点検口４３を取り囲むように設けられる。この構成によれば、蓋ユニット６０が支持体４２により安定して支持されるため、蓋ユニット６０の変位にともなう支持体４２の追従性が高められる。このため、蓋ユニット６０と支持体４２との間に隙間が形成されにくく、ビビリ音等のノイズが発生しにくい。
【００３１】
（２）支持体４２はパネル体４１と同じ材料により構成され、パネル体４１と一体に形成されている。このため、第１の天井パネル４０の製造コストが低減される。
（３）支持体４２は弾性部４１Ｂにおける点検口４３の縁４３Ａから蓋ユニット６０側に立ち上がるように構成され、フランジ部６１Ａの底面６１Ｃを支持する。この構成によれば、パネル体４１の底面と下蓋６３の底面とが上下方向において近い位置を取るため、蓋ユニット６０が第１の天井パネル４０に対して下方に突出しにくい。このため、浴室天井ユニット２０の美観が高められる。
【００３２】
（４）支持体４２の根本から補強部材８０の内周面８０Ｂまでの距離である第１の距離Ｌ１は、フランジ部６１Ａの根本からフランジ部６１Ａの先端までの距離である第２の距離Ｌ２よりも長い。この構成によれば、弾性部４１Ｂが蓋ユニット６０の変位に追従して撓みやすく、蓋ユニット６０と第１の天井パネル４０との間に隙間が形成されにくいため、ビビリ音等のノイズが発生しにくい。
【００３３】
（５）蓋ユニット６０の平面方向において、支持体４２と下蓋６３の外周面６３Ｂとが第１の空間Ｓ１を隔てて対向する。この構成によれば、蓋ユニット６０が振動する場合に支持体４２と下蓋６３とが干渉しにくい。このため、支持体４２と下蓋６３との接触によるノイズが発生しにくい。
【００３４】
（６）蓋ユニット６０の平面方向において、補強部材８０のうちの貫通孔８０Ａを形成する内周面８０Ｂと内周面８０Ｂと対向するフランジ部６１Ａの外周面６１Ｂとの間に第２の空間Ｓ２が設けられる。この構成によれば、蓋ユニット６０が振動する場合にフランジ部６１Ａと補強部材８０とが干渉しにくい。このため、補強部材８０とフランジ部６１Ａとの接触によるノイズが発生しにくい。
【００３５】
（７）第１の天井パネル４０の平面視における支持体４２の形状は楕円形である。この構成によれば、支持体４２の形状が角を含む形状である場合と比較して、蓋ユニット６０が振動した場合における支持体４２の各部分の変形量に差が生じにくく、蓋ユニット６０が第１の天井パネル４０から局所的に浮き上がりにくい。このため、蓋ユニット６０と第１の天井パネル４０との接触によるビビリ音等のノイズが発生しにくい。
【００３６】
（８）蓋ユニット６０の形状は楕円形である。この構成によれば、蓋ユニット６０の平面方向において振動子６６から蓋６１の縁までの距離が急激に変化する部分が含まれないため、蓋ユニット６０から出力される音波がひずみにくい。
【００３７】
（９）蓋ユニット６０の平面視において蓋ユニット６０の中心部に振動子６６が設けられている。この構成によれば、蓋ユニット６０の平面方向において振動子６６から蓋６１の縁までの距離の差が小さいため、蓋ユニット６０から出力される音波がひずみにくい。
【００３８】
（１０）第１の天井パネル４０の平面視において点検口４３の中心と天井３０の中心とが一致しないように点検口４３が第１の天井パネル４０に設けられている。すなわち、天井３０における蓋ユニット６０の位置は天井３０の中心からずれている。この構成によれば、蓋ユニット６０から出力され、側壁パネル１２および床パネル１１等により反射された反射波の位相と蓋ユニット６０から別途出力される音波の位相とが逆位相になりにくい。このため、ユーザーに視聴される音情報の音圧が低下するおそれが低減される。
【００３９】
（１１）床パネル１１の表面は天井パネル４０、５０における浴室１４側の面に対して傾斜している。この構成によれば、蓋ユニット６０から出力される音波の進行方向と床パネル１１により反射された反射波の進行方向とがずれやすく、反射波と蓋ユニット６０から出力される音波とが干渉しにくい。このため、蓋ユニット６０から出力された音波の音圧が低下しにくい。
【００４０】
（１２）床パネル１１の表面には浴槽１３から離れた側壁パネル１２から浴槽１３に向かって低くなるように傾斜している。この構成によれば、床パネル１１により反射された反射波が浴槽１３側に進行しやすく、浴槽１３に入浴しているユーザーに高い音圧の音波が届きやすい。
【００４１】
（１３）床パネル１１の表面は凹凸１１Ｂが形成されている。この構成によれば、蓋ユニット６０から出力される音波の進行方向と床パネル１１により反射された反射波の進行方向とがずれやすく、反射波と蓋ユニット６０から出力される音波とが干渉しにくい。このため、蓋ユニット６０から出力された音波の音圧が低下しにくい。
【００４２】
（実施の形態２）
実施の形態２の浴室天井ユニット２０は以下に説明する点において実施の形態１の浴室天井ユニット２０と相違し、その他の点において実施の形態１の浴室天井ユニット２０と実質的に同じ構成を備える。なお、実施の形態２における浴室天井ユニット２０の説明では、実施の形態１の浴室天井ユニット２０と共通する構成に同一の符号を付し、その構成の説明の一部または全部を省略する。
【００４３】
図８は実施の形態２の浴室天井ユニット２０の分解斜視図である。実施の形態２の浴室天井ユニット２０は、実施の形態１の振動子６６（図２参照）に代えてスピーカー９０を備える。スピーカー９０は振動子および振動板（ともに図示略）を含む。スピーカー９０の振動子は浴室１４（図１参照）に音情報が出力されるように蓋６１に設けられる。スピーカー９０の振動板が振動子による振動の影響によって振動することにより、蓋ユニット６０から音情報が出力される。すなわち、実施の形態１の浴室天井ユニット２０では振動子６６および蓋６１によりスピーカーが構成され、実施の形態２では自身の振動子により自身の振動板を振動させるスピーカー９０が設けられる。スピーカー９０は蓋６１の収容空間６４において下蓋６３の上面に配置される。一例では、蓋ユニット６０の平面視において蓋ユニット６０の中心部にスピーカー９０が設けられている。スピーカー９０は制御装置７０と電気的に接続される。
【００４４】
制御装置７０はコントローラー等の外部機器から受信した信号に基づいてスピーカー９０の振動子を振動させる。蓋ユニット６０を第１の天井パネル４０に対して下方向に変位させる力がスピーカー９０の振動子から蓋６１に加えられた場合、その力が蓋ユニット６０から支持体４２に伝達される。このため、弾性部４１Ｂが被覆部４１Ａに対して支持体４２が下方に変位するように撓み、蓋ユニット６０が第１の天井パネル４０に対して下方に変位する。
【００４５】
一方、弾性部４１Ｂが下方に弾性変形した後、蓋ユニット６０を第１の天井パネル４０に対して上方向に変位させる力がスピーカー９０の振動子から蓋６１に加えられた場合、弾性部４１Ｂが被覆部４１Ａに対して支持体４２が上方に変位するように弾性力により撓む。そして、蓋ユニット６０が第１の天井パネル４０に対して上方に変位するとともに支持体４２が蓋ユニット６０の変位に追従するように上方に変位する。このように、蓋ユニット６０が上方または下方に変位するとともに、支持体４２が蓋ユニット６０の変位に追従するため、蓋ユニット６０と支持体４２との間に隙間が形成されにくく、蓋ユニット６０から出力される音情報にノイズが含まれにくい。実施の形態２によれば、実施の形態１により得られる（１）〜（１３）の効果と実質的に同じ効果も得られる。
【００４６】
（実施の形態３）
実施の形態３の浴室天井ユニット１２０は以下に説明する点において実施の形態１の浴室天井ユニット２０と相違し、その他の点において実施の形態１の浴室天井ユニット２０と実質的に同じ構成を備える。なお、実施の形態３における浴室天井ユニット１２０の説明では、実施の形態１の浴室天井ユニット２０と共通する構成に同一の符号を付し、その構成の説明の一部または全部を省略する。
【００４７】
図９に示されるとおり、浴室天井ユニット１２０（図１１参照）は蓋ユニット６０（図４参照）に代えて蓋ユニット１６０を備える。蓋ユニット１６０は蓋ユニット６０と実質的に同じ構成を有するため、蓋ユニット６０と共通する構成に同一の符号を付し、その構成の説明の一部または全部を省略する。
【００４８】
浴室天井ユニット１２０は複数の弾性支持体１７０をさらに備える。弾性支持体１７０は弾性変形可能な部材である。弾性支持体１７０は例えば第２の弾性部材６８（図１１参照）と同じ材料により構成される。弾性支持体１７０の材料の一例はゴムである。弾性支持体１７０は蓋ユニット１６０の底面１６０Ａと弾性部４１Ｂ（図１１参照）との間に設けられる。一例では、弾性支持体１７０はフランジ部６１Ａの底面に取り付けられ、弾性部４１Ｂに支持される。弾性支持体１７０の形状の一例は直方体である。弾性支持体１７０の数の一例は６つである。図９に示される例では、複数の弾性支持体１７０は蓋ユニット１６０の周方向において所定の間隔をあけて配置されている。なお、図９は第２の弾性部材６８を省略している。
【００４９】
蓋ユニット１６０は突出部１６１をさらに含む。突出部１６１の機能は第１の天井パネル４０（図１１参照）に対する蓋ユニット１６０の上下方向の位置を保持することである。突出部１６１は蓋６１のフランジ部６１Ａの底面６１Ｃから弾性部４１Ｂに向けて突出する。突出部１６１の材料の一例はＡＢＳ樹脂である。
【００５０】
突出部１６１は一対の周囲壁１６２および複数の支持部１６３（図１０参照）を含む。周囲壁１６２は蓋６１の周囲を覆うようにフランジ部６１Ａの外周面６１Ｂに沿って設けられる。周囲壁１６２の形状の一例は蓋ユニット１６０の平面視において弧形である。一方の周囲壁１６２と他方の周囲壁１６２との間には第３の空間Ｓ３が設けられる。周囲壁１６２は例えばフランジ部６１Ａの外周面６１Ｂと連続するようにフランジ部６１Ａの先端から弾性部４１Ｂに向けて突出する。
【００５１】
図１０に示されるとおり、複数の支持部１６３は例えば周囲壁１６２の底面１６２Ａに取り付けられる。支持部１６３の形状は例えば周囲壁１６２との接触面から底面１６３Ａに向けて細くなる先細りの形状である。支持部１６３の底面１６３Ａの面積は弾性支持体１７０の底面１７０Ａの面積よりも小さく、支持部１６３における周囲壁１６２との接触面の面積よりも小さい。支持部１６３の底面１６３Ａの形状は例えば丸みを帯びた形状である。複数の支持部１６３の数の一例は６つである。各支持部１６３は周囲壁１６２のうちの弾性支持体１７０に近い位置にそれぞれ設けられる（図９参照）。複数の支持部１６３は蓋ユニット１６０の周方向において所定の間隔をあけて配置される。支持部１６３が周囲壁１６２とは別の材料により構成される場合、支持部１６３は周囲壁１６２よりも軟質、かつ、第２の弾性部材６８（図１１参照）よりも硬質の材料であることが好ましい。
【００５２】
図１１は蓋ユニット１６０が点検口４３を閉じる前の状態の断面構造を示す。弾性支持体１７０は突出部１６１よりもフランジ部６１Ａの根本側に配置されるようにフランジ部６１Ａの底面６１Ｃに設けられる。弾性支持体１７０は弾性変形していない状態において、突出部１６１よりも下方に突出した状態を形成する。弾性支持体１７０の底面１７０Ａの位置は、上下方向において支持部１６３の底面１６３Ａよりも低い。
【００５３】
図１２は蓋ユニット１６０が点検口４３を閉じた状態の断面構造を示す。弾性支持体１７０は弾性部４１Ｂとの接触により収縮するように弾性変形する。支持部１６３は弾性支持体１７０が弾性変形した状態で弾性部４１Ｂに支持される。支持部１６３が弾性部４１Ｂに支持されることにより、第１の天井パネル４０に対する蓋ユニット１６０の上下方向の位置が保持される。蓋ユニット１６０は、弾性部４１Ｂの撓み変形および弾性支持体１７０の弾性変形にともない第１の天井パネル４０に対して上下方向に変位できるように弾性部４１Ｂに支持されている。
【００５４】
第２の弾性部材６８は支持体４２との接触により収縮するように弾性変形する。第２の弾性部材６８が支持体４２に支持されることにより第２の弾性部材６８と支持体４２とが密着し、浴室１４（図１参照）内の湿気等の水分が第１の天井パネル４０の裏側に侵入することが妨げられる。
【００５５】
図１３および図１４を参照して、浴室天井ユニット１２０の作用について説明する。
浴室天井ユニット１２０のコントローラーはユーザーの操作に応じて信号を出力する。一例では、信号は音に関する情報を含む。制御装置７０（図２参照）はコントローラーから受信した信号に基づいて振動子６６（図２参照）を振動させる。
【００５６】
図１３は蓋ユニット１６０が第１の天井パネル４０に対して下方に変位した状態を示す。蓋ユニット１６０を第１の天井パネル４０に対して下方向に変位させる力が振動子６６から蓋６１に加えられた場合、その力が主に突出部１６１から弾性部４１Ｂに伝達される。このため、弾性部４１Ｂが被覆部４１Ａに対して支持体４２が下方に変位するように撓み、弾性支持体１７０が弾性部４１Ｂの変位に追従して伸展するように弾性変形し、第２の弾性部材６８が支持体４２の変位に追従して伸展するように弾性変形する。このように、蓋ユニット１６０が弾性部４１Ｂを撓ませながら下方に変位することによって、弾性支持体１７０が弾性部４１Ｂの変位に追従し、第２の弾性部材６８が支持体４２の変位に追従するため、蓋ユニット１６０と第１の天井パネル４０との間に隙間が形成されにくく、蓋ユニット１６０から出力される音情報にノイズが含まれにくい。
【００５７】
図１４は蓋ユニット１６０が第１の天井パネル４０に対して上方に変位した状態を示す。弾性部４１Ｂが下方に弾性変形した後、蓋ユニット１６０を第１の天井パネル４０に対して上方向に変位させる力が振動子６６から蓋６１に加えられた場合、弾性部４１Ｂが被覆部４１Ａに対して支持体４２が上方に変位するように弾性力により撓む。蓋ユニット１６０が第１の天井パネル４０に対して上方に変位するとともに、弾性部４１Ｂが弾性支持体１７０の変位に追従して撓み、弾性支持体１７０が弾性部４１Ｂから受ける力により収縮するように弾性変形する。また、支持体４２が第２の弾性部材６８の変位に追従して上方に変位し、第２の弾性部材６８が支持体４２から受ける力により収縮するように弾性変形する。このため、蓋ユニット１６０と第１の天井パネル４０との間に隙間が形成されにくく、蓋ユニット１６０から出力される音情報にノイズが含まれにくい。
【００５８】
蓋ユニット１６０が第１の天井パネル４０に対する上下方向への変位を繰り返すことにより、制御装置７０がコントローラーから受信した情報に応じた音情報が出力される。そのときに上述のとおり蓋ユニット１６０と第１の天井パネル４０との間に隙間が形成されにくいため、蓋ユニット１６０と第１の天井パネル４０との接触によるビビリ音等のノイズが発生しにくく、浴室１４内に出力される音情報の音質が低下しにくい。また、第２の弾性部材６８と支持体４２とが密着している状態が維持されやすいことにより、浴室１４内の湿気等の水分が第１の天井パネル４０の裏側に侵入するおそれが低減される。
【００５９】
実施の形態３によればさらに以下の効果が得られる。
（１４）弾性支持体１７０は蓋ユニット１６０の底面１６０Ａと弾性部４１Ｂとの間に設けられる。この構成によれば、蓋ユニット１６０の振動が弾性支持体１７０により吸収される。このため、蓋ユニット１６０と第１の天井パネル４０との間に隙間が形成されにくく、浴室１４内に出力される音情報の音質が低下しにくい。
【００６０】
（１５）突出部１６１はフランジ部６１Ａの底面６１Ｃから弾性部４１Ｂに向けて突出し、弾性支持体１７０が弾性変形した状態で弾性部４１Ｂに支持される。この構成によれば、第１の天井パネル４０に対する蓋ユニット１６０の上下方向の位置が突出部１６１により保持され、蓋ユニット１６０が弾性支持体１７０の弾性変形により第１の天井パネル４０に対して沈み込みにくい。このため、浴室天井ユニット１２０の美観が高められる。
【００６１】
（１６）突出部１６１の支持部１６３は弾性支持体１７０が弾性変形した状態で弾性部４１Ｂに支持される。この構成によれば、周囲壁１６２の底面１６２Ａが弾性部４１Ｂに支持される場合よりも弾性部４１Ｂとの接触面積が小さい。このため、蓋ユニット１６０が第１の天井パネル４０に対して振動する過程において突出部１６１と弾性部４１Ｂとが離れた場合であっても、浴室１４内に出力される音情報の音質に影響が出にくい。
【００６２】
（１７）弾性支持体１７０は突出部１６１よりもフランジ部６１Ａの根本側に配置されるようにフランジ部６１Ａの底面６１Ｃに設けられる。この構成によれば、弾性支持体１７０は弾性部４１Ｂのうちの支持体４２に近い部分に支持される。弾性部４１Ｂのうちの支持体４２に近い部分は蓋ユニット１６０の振動にともなう変形量が大きい。このため、蓋ユニット１６０の振動が弾性支持体１７０により吸収されやすい。なお、実施の形態３によれば、実施の形態１により得られる（１）〜（１３）の効果と実質的に同じ効果も得られる。
【００６３】
（変形例）
上記各実施の形態に関する説明は本発明に従う浴室天井ユニットおよび浴室ユニットが取り得る形態の例示であり、その形態を制限することを意図していない。本発明に従う浴室天井ユニットおよび浴室ユニットは上記各実施の形態以外に例えば以下に示される各実施の形態の変形例、および、相互に矛盾しない少なくとも２つの変形例が組み合わせられた形態を取り得る。
【００６４】
・実施の形態３の変形例の弾性支持体１７０は、突出部１６１よりもフランジ部６１Ａの先端側に配置されるようにフランジ部６１Ａの底面６１Ｃに設けられる。
・実施の形態３の変形例の弾性支持体１７０は弾性部４１Ｂ上に設けられる。
【００６５】
・実施の形態３の変形例の弾性支持体１７０の材料はばねである。
・実施の形態３の弾性支持体１７０の数は任意に変更可能である。一例では、弾性支持体１７０の数は１〜５つまたは７つ以上である。弾性支持体１７０の数が少ない場合において、弾性支持体１７０は蓋ユニット１６０の周方向に伸びるように所定の長さを有することが好ましい。
【００６６】
・実施の形態３の突出部１６１の構成は任意に変更可能である。第１の例では、支持部１６３は周囲壁１６２と一体的に形成される。第２の例では、支持部１６３の数が１〜５つまたは７つ以上である。第３の例では、突出部１６１から支持部１６３が省略される。この例によれば、周囲壁１６２の底面１６２Ａが弾性部４１Ｂと接触する。第４の例では、突出部１６１から周囲壁１６２が省略される。この例によれば、複数の支持部１６３がフランジ部６１Ａの底面６１Ｃから弾性部４１Ｂに向けて突出するように設けられる。第５の例では、周囲壁１６２の形状が蓋ユニット１６０の平面視において円形または楕円形である。この例によれば、第３の空間Ｓ３が省略される。なお、周囲壁１６２は１つの連続した部材であることが好ましい。第６の例では、浴室天井ユニット１２０から突出部１６１が省略される。
【００６７】
・実施の形態３の第１の天井パネル４０は支持体４２を省略した形態を取り得る。この変形例によれば、弾性支持体１７０と弾性部４１Ｂとの密着によって、浴室１４内の湿気等の水分が第１の天井パネル４０の裏側に侵入することが妨げられる。蓋ユニット１６０は第２の弾性部材６８を省略した形態を取り得る。
【００６８】
・実施の形態２における蓋ユニット６０に対するスピーカー９０の位置は任意に変更可能である。第１の例では、スピーカー９０は下蓋６３のうちの縁寄りの部分に設けられる。第２の例では、スピーカー９０は上蓋６２の上面に設けられる。
【００６９】
・実施の形態１における蓋ユニット６０に対する振動子６６の位置は任意に変更可能である。一例では、振動子６６は下蓋６３のうちの縁寄りの部分に設けられる。実施の形態３においても同様の変形例が成立する。
【００７０】
・床パネル１１の表面の形状は任意に変更可能である。一例では、床パネル１１の表面の形状は凹凸１１Ｂが存在しない平面である。
・床パネル１１の傾斜の形態は任意に変更可能である。第１の例では、床パネル１１は浴槽１３から浴槽１３と離れた側壁パネル１２に向かって低くなるように傾斜する。排水口１１Ａは床パネル１１のうちの最も低い部分に設けられる。第２の例では、床パネル１１の表面は天井パネル４０、５０における浴室１４側の面に対して平行である。
【００７１】
・天井３０に対する点検口４３の位置は任意に変更可能である。一例では、第１の天井パネル４０の平面視において点検口４３の中心と天井３０の中心とが一致するように点検口４３が設けられる。
【００７２】
・蓋ユニット６０の形状は任意に変更可能である。一例では、蓋ユニット６０の形状は円形または矩形である。蓋ユニット６０の形状が円形である場合、実施の形態１における（８）の効果と同様の効果が得られる。なお、円形は円形に類似する形状を含み、矩形は矩形に類似する形状を含む。
【００７３】
・支持体４２の形状は任意に変更可能である。一例では、第１の天井パネル４０の平面視における支持体４２の形状は円形または矩形である。この例によれば、点検口４３の形状は支持体４２の形状と相似する。支持体４２の形状が円形である場合、実施の形態１における（７）の効果と同様の効果が得られる。なお、円形は円形に類似する形状を含み、矩形は矩形に類似する形状を含む。第１の天井パネル４０の平面視における支持体４２の形状は蓋ユニット６０の形状と相似することが好ましい。
【００７４】
・パネル体４１と支持体４２との関係は任意に変更可能である。一例では、パネル体４１と支持体４２とが個別に構成され、支持体４２がパネル体４１に取り付けられる。
・第１の距離Ｌ１と第２の距離Ｌ２との関係は任意に変更可能である。一例では、第１の距離Ｌ１は第２の距離Ｌ２と等しい、または、第２の距離Ｌ２よりも短い。第１の距離Ｌ１が第２の距離Ｌ２よりも短い場合、支持体４２はフランジ部６１Ａの底面６１Ｃのうちの先端側の部分を支持することが好ましい。
【００７５】
・支持体４２が点検口４３を取り囲むように設けられるか否かは任意に変更可能である。一例では、支持体４２は点検口４３の一部を取り囲むように点検口４３の縁４３Ａの一部に設けられる。
【００７６】
・補強部材８０とフランジ部６１Ａとの位置関係は任意に変更可能である。一例では、補強部材８０の上面とフランジ部６１Ａの底面６１Ｃとが上下方向において空間を隔てて対向するように補強部材８０の一部がフランジ部６１Ａの下方に配置される。
【００７７】
・第１の天井パネル４０を構成する材料は任意に変更可能である。一例では、第１の天井パネル４０は弾性を有する樹脂材料により構成される。
・天井３０の構成は任意に変更可能である。第１の例では、天井３０は１枚の天井パネルにより構成される。１枚の天井パネルは例えば第１の天井パネル４０および第２の天井パネル５０が一体化されたパネルである。第２の例では、天井３０は３枚以上の複数の天井パネルにより構成される。複数の天井パネルは少なくとも第１の天井パネル４０に相当するパネルを含む。
【００７８】
（課題を解決するための手段に関する付記）
浴室を構成する浴室ユニットにおいて天井を構成する部材であり、点検口が設けられた天井パネルと、前記点検口を閉じる蓋、および、前記浴室に音情報が出力されるように前記蓋を振動させる振動子を含む蓋ユニットと、弾性変形可能な部材であり、前記蓋ユニットの底面と前記天井パネルとの間に設けられる弾性支持体と、前記天井パネルを補強するために前記天井パネルの上面に設置される部材であり、前記天井パネルのうちの前記点検口およびその周囲の部分である弾性部を覆わないように貫通孔が形成されている補強部材と、を備え、前記弾性部は、前記補強部材に覆われていないことにより前記天井パネルのうちの前記補強部材に覆われた部分である被覆部に対して撓むことが可能な部分であり、前記蓋ユニットは、前記弾性部の撓み変形にともない前記天井パネルに対して上下方向に変位できるように、前記弾性支持体を介して前記弾性部により支持されている、浴室天井ユニット。
【符号の説明】
【００７９】
１０…浴室ユニット、１１…床パネル、１１Ｂ…凹凸、１２…側壁パネル、１３…浴槽、１４…浴室、２０，１２０…浴室天井ユニット、３０…天井、４０…第１の天井パネル（天井パネル）、４１Ａ…被覆部、４１Ｂ…弾性部、４２…支持体、４３…点検口、４３Ａ…縁、６０，１６０…蓋ユニット、６１…蓋、６１Ａ…フランジ部、６１Ｃ…底面、６６…振動子、８０…補強部材、８０Ａ…貫通孔、８０Ｂ…内周面、１６０Ａ…底面、１６１…突出部、１７０…弾性支持体。
【図１】
0006593652.tif 000002
【図２】
0006593652.tif 000003
【図３】
0006593652.tif 000004
【図４】
0006593652.tif 000005
【図５】
0006593652.tif 000006
【図６】
0006593652.tif 000007
【図７】
0006593652.tif 000008
【図８】
0006593652.tif 000009
【図９】
0006593652.tif 000010
【図１０】
0006593652.tif 000011
【図１１】
0006593652.tif 000012
【図１２】
0006593652.tif 000013
【図１３】
0006593652.tif 000014
【図１４】
0006593652.tif 000015